(57)【要約】      （修正有）【課題】 スピーカー装置において、クッション部材を介さずに取付パネルと対向しているフレームの部分において共振音の発生を防止する。【解決手段】  スピーカー装置用のフレームは、環状の外周部を備える。外周部は、例えば車両のインナーパネルなどの取付パネルに対してフレームを取り付ける場合の取付部位として機能する。外周部は同心円上に形成された複数の壁部を有し、外周部の外周側の壁部の端面は取付パネルに取り付けられる。外周部の内周側の壁部の端面は、外周部の外周側の壁部の端面より、外周部の中心軸方向に引っ込んだ位置に形成されており、取付パネルから所定距離離れて取付パネルと対向する。よって、スピーカー装置の駆動時にフレームが振動しても、外周部の内周側壁部の端面が取付パネルに接触することはなく、取付パネルに振動が伝わることがない。取付パネルが振動することにより共振音などが発生することが防止できる。【選択図】 図７
2006229522.tif 000002
【特許請求の範囲】
【請求項１】
環状の形状をなす外周部を備え、
前記外周部は、同心円状に形成された複数の壁部を有し、
前記外周部の内周側の壁部の端面は、前記外周部の中心軸方向において外周側の壁部の端面より引っ込んだ位置に形成されていることを特徴とするスピーカー装置用のフレーム。
【請求項２】
前記端面は、前記スピーカー装置の放音側と逆側の端面であることを特徴とする請求項１に記載のスピーカー装置用のフレーム。
【請求項３】
前記端面は、前記スピーカー装置が取り付けられる取付パネルに対向する側の端面であることを特徴とする請求項１に記載のスピーカー装置用のフレーム。
【請求項４】
前記外周側の壁部の端面には、前記取付パネルに当接するクッション部材が取り付けられていることを特徴とする請求項３に記載のスピーカー装置用のフレーム。
【請求項５】
前記外周側の壁部の端面と、前記内周側の壁部の端面とは、前記中心軸方向に段差を有することを特徴とする請求項１乃至４のいずれか一項に記載のスピーカー装置用のフレーム。
【請求項６】
請求項１乃至５のいずれか一項に記載のスピーカー装置用のフレームを備えるスピーカー装置。
【発明の詳細な説明】
【技術分野】
【０００１】
本発明は、スピーカー装置におけるフレームの構造に関する。
【背景技術】
【０００２】
従来より、フレーム及び振動板等を有する振動系と、ヨーク、マグネット及びプレートを有する磁気回路系とを備えるスピーカー装置が知られている。このようなスピーカー装置は車載用のスピーカー装置として好適に用いられる。
【０００３】
そのような車載用のスピーカー装置では、フレームの外周部の外周側部分にクッション性を有するクッション部材が貼り付けられている。このようなスピーカー装置を車両のドアのインナーパネル等の取付パネル（被取付部）に取り付けるには、フレームを、そのクッション部材を介して被取付部に取り付ける。このような構成を有するスピーカー装置の一例が、特許文献１に記載されている。
【０００４】
【特許文献１】特開２００１−３５２５９０号公報
【発明の開示】
【発明が解決しようとする課題】
【０００５】
しかしながら、上記のスピーカー装置では、フレームの外周部のにクッション部材が貼り付けられていない部分が存在する。よって、スピーカーの駆動によりフレームが振動したときに、クッション部材が取り付けられていない部分が取付パネルに接触して取付パネルに振動を伝達してしまい、共振音が発生してしまうという問題がある。
【０００６】
本発明が解決しようとする課題としては、上記のようなものが例として挙げられる。本発明は、クッション部材を介さずに取付パネルと対向しているフレームの部分において共振音の発生を防止することが可能なスピーカー装置用のフレーム及びそのフレームを用いたスピーカー装置を提供することを課題とする。
【課題を解決するための手段】
【０００７】
請求項１に記載の発明は、スピーカー装置用のフレームであって、環状の形状をなす外周部を備え、前記外周部は、同心円状に形成された複数の壁部を有し、前記外周部の内周側の壁部の端面は、前記外周部の中心軸方向において外周側の壁部の端面より引っ込んだ位置に形成されていることを特徴とする。
【発明を実施するための最良の形態】
【０００８】
本発明の１つの実施形態では、スピーカー装置用のフレームは、環状の形状をなす外周部を備え、前記外周部は、同心円状に形成された複数の壁部を有し、前記外周部の内周側の壁部の端面は、前記外周部の中心軸方向において外周側の壁部の端面より引っ込んだ位置に形成されている。
【０００９】
上記のスピーカー装置用のフレームは、例えば車載用スピーカー装置などに好適に適用され、環状の外周部を備える。外周部は、例えば車両のインナーパネルなどの取付パネルに対してフレームを取り付ける場合の取付部位として機能する。具体的には、外周部は同心円上に形成された複数の壁部を有し、外周部の外周側の壁部の端面は取付パネルに取り付けられる。一方、外周部の内周側の壁部の端面は、外周部の外周側の壁部の端面より、外周部の中心軸方向に引っ込んだ位置に形成されており、取付パネルから所定距離離れて取付パネルと対向する。よって、スピーカー装置の駆動時にフレームが振動しても、外周部の内周側の壁部の端面が取付パネルに接触することはなく、取付パネルに振動が伝わることがない。これにより、取付パネルの振動により共振音などが発生することが防止できる。
【００１０】
上記のスピーカー装置用のフレームの好適な例では、前記端面は前記スピーカー装置の放音側と逆側の端面とされる。また、他の好適な例では、前記スピーカー装置が取り付けられる取付パネルに対向する側の端面とされる。即ち、スピーカー装置は、放音側と逆側、即ち背面側の外周部において取付パネルに取り付けられる。
【００１１】
上記のスピーカー装置用のフレームの一態様では、前記外周側の壁部の端面には、前記取付パネルに当接するクッション部材が取り付けられる。この態様では、外周部の外周側の壁部の端面はクッション部材などを介して取付パネルに取り付けられる。スピーカー装置を駆動するとフレームに振動が発生することがあるが、外周部の外周側の壁部はクッション部材などを介して取付パネルに取り付けられるので、フレームの振動が取付パネルに伝達されることはない。
【００１２】
上記のスピーカー装置用のフレームの好適な例では、前記外周側の壁部の端面と、前記内周側の壁部の端面とは、前記中心軸方向に段差を有する。この段差を十分な大きさに設定することにより、外周部の内周側壁部と取付パネルとの接触を確実に防止することができる。
【実施例】
【００１３】
以下、図面を参照して本発明の好適な実施例について説明する。
【００１４】
[スピーカー装置の構成]
まず、図１乃至図５を参照して、本発明の実施例に係るスピーカー装置１００の構成等について説明する。
【００１５】
図１は、本発明の実施例に係るスピーカー装置１００を、その放音側から見たときのスピーカー装置１００の斜視図を示す。図２は、スピーカー装置１００を、その放音側と逆側、即ち背面側から見たときのスピーカー装置１００の斜視図を示す。図３は、スピーカー装置１００を、その放音側から見たときのスピーカー装置１００の正面図を示す。図４は、スピーカー装置１００を、その放音側と逆側、即ち背面側から見たときのスピーカー装置１００の背面図を示す。図５は、スピーカー装置１００（又はフレーム１）の中心軸Ｌ１に対して紙面右側にスピーカー装置１００の断面図を、その中心軸Ｌ１に対して紙面左側にスピーカー装置１００の側面図を夫々示す。また、図５に示される片側断面図は、図３におけるスピーカー装置１００の切断線Ｘ１−Ｘ２に沿った断面図である。図５に示される片側側面図は、図３において、スピーカー装置１００の中心軸Ｌ１を通る平面Ｓ１と、その中心軸Ｌ１を通り平面Ｓ１に垂直な平面Ｓ２との間におけるスピーカー装置１００の側面部分Ｅ１に対応している。
【００１６】
本実施例のスピーカー装置１００は、車載用スピーカー装置として好適に用いることができる。スピーカー装置１００は、スピーカーユニット５０を、フレーム１に取り付けることにより構成される。
【００１７】
スピーカーユニット５０は、ヨーク２、マグネット３及びプレート４を有する磁気回路系２０と、ボイスコイルボビン５、ボイスコイル６、ダンパー７、振動板８、エッジ９及びキャップ１０を有する振動系３０と、を備えている。
【００１８】
まず、磁気回路系２０の各構成要素について説明する。
【００１９】
磁気回路系２０は、内磁型の磁気回路として構成されている。
【００２０】
ヨーク２は、略壺状の形状をなしている。ヨーク２は、円板状のマグネット３を載置するための第１平坦部２ａと、その第１平坦部２ａの略中心に形成された開口２ｂと、その第１平坦部２ａの外周部と連結された第１円筒部２ｃと、その第１円筒部２ｃの下端部と連結された第２平坦部２ｄと、その第２平坦部２ｄの外周部と連結された第２円筒部２ｅと、その第２円筒部２ｅの上端部と連結され当該上端部から外側に延在するフランジ部２ｆとを有し、それらの各要素は一体的に形成されている。
【００２１】
第１平坦部２ａの上面は平坦性を有している。開口２ｂは、磁気回路系２０で発生した熱を外部へ放熱する機能を有している。第１円筒部２ｃは、円筒状の形状をなしている。図５において、第１円筒部２ｃを矢印Ｙ１方向に所定の長さを有するように形成することにより、振動系３０の要素と、マグネット３及びプレート４との相対的な位置関係を調整することができる。第２平坦部２ｄの下面は平坦性を有している。第２平坦部２ｄは、第１円筒部２ｃと第２円筒部２ｅとの間に一定の間隙を形成する役割を担う。第２円筒部２ｅは、円筒状の形状をなし、第１円筒部２ｃの外側に配置されている。第２円筒部２ｅは、当該第２円筒部２ｅの内周壁と、マグネット３及びプレート４の各外周壁との間に磁気ギャップ１２を形成する機能を有している。フランジ部２ｆは、フレーム１の要素である磁気回路収容部１ａに固定される部位である。フランジ部２ｆを磁気回路収容部１ａに取り付けることにより、磁気回路系２０を磁気回路収容部１ａ内に収容することができる。
【００２２】
マグネット３は、円板状の形状をなし、ヨーク２の第１平坦部２ａ上に取り付けられている。マグネット３上には、当該マグネット３と略同一の径を有する、円板状のプレート４が取り付けられている。
【００２３】
このような構成を有する磁気回路系２０では、マグネット３及びプレート４等により磁気回路を構成し、プレート４の外周壁と第２円筒部２ｅの内周壁との間に形成される磁気ギャップ１２にマグネット３の磁束を集中させている。
【００２４】
次に、振動系３０の各構成要素について説明する。
【００２５】
ボイスコイルボビン５は、略円筒状の形状をなしている。ボイスコイルボビン５の外周壁の下端部近傍には、後述するボイスコイル６が巻かれている。ボイスコイルボビン５の内周壁の下端部近傍は、マグネット３及びプレート４の各外周壁と一定の間隔をおいて対向している。一方、ボイスコイルボビン５の外周壁の下端部近傍は、ヨーク２の要素である第２円筒部２ｅの内周壁の上端部近傍と一定の間隔をおいて対向している。そして、第２円筒部２ｅの内周壁と、プレート４等の外周壁との間に空隙（磁気ギャップ１２）が形成されている。
【００２６】
ボイスコイル６は、１つの配線からなり、図４に示すように、プラスのリード線６ａ及びマイナスのリード線６ｂを夫々有している。プラス側のリード線６ａはＬ（又はＲ）チャンネル信号の入力配線であり、マイナス側のリード線６ｂはグランド（ＧＮＤ：接地）信号の入力配線である。リード線６ａ、６ｂは、フレーム１に設けられた端子部１ｄに電気的に接続されている。また、端子部１ｄは、図示しないアンプ側の出力側の配線にも電気的に接続される。これにより、ボイスコイル６には、端子部１ｄ並びにリード線６ａ及び６ｂを介してアンプ側から１チャンネル分の信号や電力が入力される。
【００２７】
ダンパー７は、環状の形状をなし、同心円状に波型が形成された弾性部を有している。ダンパー７の内周縁部は、ボイスコイルボビン５の外周壁の上端部近傍に取り付けられている。一方、ダンパー７の外周縁部は、磁気回路収容部１ａの外周部に取り付けられている。
【００２８】
振動板８には、各種の用途に応じ、紙系、高分子系、金属系などの各種の材料を適用することができる。振動板８は、コーン状の形状をなしている。振動板８の内周縁部は、ボイスコイルボビン５の外周壁の上端部近傍に且つダンパー７の上側に取り付けられている。一方、振動板８の外周縁部は、環状の形状をなすエッジ９の内周縁部に取り付けられている。エッジ９の外周縁部は、フレーム１の外周部１ｃ上に取り付けられている。なお、本例では、振動板８とエッジ９を夫々独立に形成するようにしているが、これに限らず、本発明では、振動板８とエッジ９を一体的に形成するようにしても構わない。
【００２９】
キャップ１０は、略ドーム状の形状をなし、ボイスコイルボビン５の上面を閉塞するように、当該ボイスコイルボビン５の外周壁に取り付けられている。これにより、粉塵や異物などがスピーカーユニット５０の内部へ侵入するのを防止する機能を有している。
【００３０】
フレーム１は、金属や樹脂などの各種の材料にて形成される。スピーカー装置１００の軽量化を図る場合には、フレーム１は樹脂材料にて形成するのが好ましい。フレーム１は、主として、磁気回路収容部１ａと、その磁気回路収容部１ａの外側に且つ上側に配置された外周部１ｃと、磁気回路収容部１ａと外周部１ｃを連結する複数のアーム部１ｂと、磁気回路収容部１ａの外周部付近に設けられた端子部１ｄとを有し、それらの各要素は一体的に形成されている。また、フレーム１において、磁気回路収容部１ａと外周部１ｃの間には開口１ｆが形成されている。
【００３１】
磁気回路収容部１ａは、略椀状の形状をなし、開口１ａａ、切り欠き部１ａｂ及び複数の固定部１ａｃを有している。開口１ａａの径は、ヨーク２の第２円筒部２ｅの外径と略同一になっている。開口１ａａは、図５においてスピーカー装置１００の中心軸Ｌ１方向を縦方向としたときに、磁気回路収容部１ａの縦方向の略中心に対応する位置に形成されている。各切り欠き部１ａｂは、磁気回路収容部１ａの外周壁の一部を除去することにより形成され、その外周壁付近に且つ適宜の間隔をおいて形成されている。各固定部１ａｃは、開口１ａａ付近に且つ切り欠き部１ａｂに対応する位置に形成されている。また、固定部１ａｃの各々は、その開口１ａａの周方向に沿って且つ適宜の間隔をおいて形成されている。
【００３２】
各アーム部１ｂの一端は、磁気回路収容部１ａの外周壁に取り付けられていると共に、各アーム部１ｂの他端側は、外周部１ｃの内周壁に取り付けられている。
【００３３】
外周部１ｃは、略環状の形状をなし、磁気回路収容部１ａ及び複数のアーム部１ｂの外側に設けられている。外周部１ｃには、エッジ９の外周部やクッション部材４０、４１等が取り付けられる。外周部１ｃは、スピーカー装置１００を、例えば車両ドアのインナーパネルなどの被取付部に取り付けるための取り付け部１ｃａ、１ｃｂを有している。
【００３４】
取り付け部１ｃａは、ボルトを挿入するための挿入口であり、外周部１ｃにおいて端子部１ｄと逆側の位置に設けられている。取り付け部１ｃｂは、爪状の形状をなし、外周部１ｃの下面側において取り付け部１ｃａと逆側の位置に且つ端子部１ｄ付近に複数設けられている。また、１つの取り付け部１ｃｂと、他の取り付け部１ｃｂとは一定の間隔をおいて外周部１ｃの下面側に設けられている。
【００３５】
外周部１ｃの上面、及び、外周部１ｃの下面の一部分には、クッション性を有し、棒状の形状を有するクッション部材４０が略円形形状に変形された状態で貼り付けられている。クッション部材４０としては、例えば、スポンジやウレタンなどの弾性を有する部材が好ましい。また、複数の取り付け部１ｃｂ側の外周部１ｃの下面の他の一部分には、クッション部材４０と同一の材料からなり且つ図示の形状を有するクッション部材４１が貼り付けられている。クッション部材４０及び４１の一方の面には、粘着性のあるシールが印刷、若しくは接着剤が塗布されている。
【００３６】
以上に述べたスピーカーユニット５０は、次のようにしてフレーム１に取り付けられている。図５において、振動系３０の要素であるボイスコイルボビン５及びキャップ１０が、磁気回路収容部１ａの開口１ａａに矢印Ｙ１方向から挿入され、そのボイスコイルボビン５の上端部及びキャップ１０が振動板８の放音側の面の上方に配置された状態で、ヨーク２の要素であるフランジ部２ｆが、磁気回路収容部１ａに設けられた複数の固定部１ａｃに固定されている。こうして、スピーカーユニット５０は、フレーム１の適切な位置に取り付けられ、スピーカー装置１００が構成されている。
【００３７】
以上の構成を有するスピーカー装置１００において、アンプ側から出力された信号や電力は、端子部１ｄ、及びボイスコイル６のリード線６ａ、６ｂを介して、ボイスコイル６へ入力される。これにより、磁気ギャップ１２内でボイスコイル６に駆動力が発生し、図５において振動板８等をスピーカー装置１００の中心軸Ｌ１方向に振動させる。こうして、スピーカー装置１００は、図５の矢印Ｙ１方向に音波を放射する。
【００３８】
（フレームの構造）
次に、図６乃至図９を参照して、本発明の特徴をなすフレーム１の構造について説明する。本発明に係る実施例は、車両のインナーパネルなどの取付パネルに取り付けられるフレーム１の外周部１ｃの構造に特徴を有している。このため、以下では、この点を中心に説明する。
【００３９】
図６はフレーム１の正面図を示す。図７は、図６における切断線Ｂ−Ｂ’に沿ったフレーム１の断面図を示す。なお、図７では、外周部１ｃに貼り付けられるクッション部材４０、及び、フレーム１が取り付けられる取付パネル（被取付部）も示す。図８は、フレーム１の背面図を示す。
【００４０】
フレーム１の基本的な構成は上記した通りである。フレーム１の外周部１ｃは、上面６０、下面６１、及び上面６０と下面６１を連結する連結部（壁部）６２を備え、それらの各要素は一体的に形成されている。なお、以下で説明するフレーム１の外周部１ｃの下面６１の構成は、図８において領域Ｅ２を除く外周部１ｃの下面の部分の構成に対応している。ここで、領域Ｅ２に対応するフレーム１の外周部１ｃの下面側、及び、領域Ｅ２を除く外周部１ｃの下面側は、クッション部材４０及び／又はクッション部材４１等を介して、取付パネル（被取付部）に取り付けられる領域となっている。
【００４１】
上面６０は、略環状の形状をなし、平坦性を有する複数の平坦面、即ち平坦面６０ａ、平坦面６０ｂ及び平坦面６０ｃを備えている。図７等に示すように、平坦面６０ａは、外周部１ｃの内周壁側に形成されている。平坦面６０ａ上にはエッジ９の外周縁部が取り付けられ、その平坦面６０ａはエッジ９を支持する役割を担う。平坦面６０ｂは、平坦面６０ａの外側に形成されている。平坦面６０ｂの一部上には、紙面上側に突出し環状の形状をなす環状突出部６０ｂａが形成されている。環状突出部６０ｂａは、クッション部材４０を外周部１ｃの上面６０の適切な位置に位置決めする役割を担う。好適な例では、環状突出部６０ｂａの高さは、クッション部材４０の厚さと同じ大きさにすることができる。平坦面６０ｃは、平坦面６０ｂと一定の間隔をおいて且つ当該平坦面６０ｂの外側に形成されている。即ち、平坦面６０ｃは、外周部１ｃの外周壁側に形成されている。平坦面６０ａ、平坦面６０ｂ及び平坦面６０ｃは同一面上にある。複数の平坦面のうち平坦面６０ｂ及び平坦面６０ｃの上には、図７に示すように、クッション部材４０（破線部分）が貼り付けられる。
【００４２】
一方、下面６１は、略環状の形状をなし、平坦性を有する複数の平坦面、即ち平坦面６１ａ、平坦面６１ｂ及び平坦面６１ｃを備えている。図７等に示すように、平坦面６１ａは、外周部１ｃの内周壁側に且つ平坦面６０ａの一部と重なる位置に形成されている。平坦面６１ｂは、平坦面６１ａと一定の間隔をおいて且つ当該平坦面６１ａの外側に形成されている。平坦面６１ｃは、平坦面６１ｂと一定の間隔をおいて且つ当該平坦面６１ｂの外側に且つ平坦面６０ｃの一部と重なる位置に形成されている。平坦面６１ｂ及び平坦面６１ｃは同一面上にある。平坦面６１ａは、平坦面６１ｂ及び平坦面６１ｃより上側の位置にある。つまり、平坦面６１ａと平坦面６１ｂ及び平坦面６１ｃとの間には段差がある。下面６１の要素のうち平坦面６１ｂ及び平坦面６１ｃは、図７に示すように、クッション部材４０（破線部分）が貼り付けられる。
【００４３】
連結部６２は、環状の形状をなし、複数の連結部、即ち連結部６２ａ、連結部６２ｂ、連結部６２ｃ、連結部６２ｄを有している。その連結部６２の要素である各連結部は、上面６０及び下面６１と交差する方向に延在するように形成されている。連結部６２ａは外周部１ｃの内周側の壁部を構成し、連結部６２ｂ〜６２ｄは外周部１ｃの外周側の壁部を構成する。
【００４４】
連結部６２ａは、図７に示すように、下面６１の要素である平坦面６１ａから上面６０の要素である平坦面６０ａの一端まで延在してなり、当該平坦面６１ａと当該平坦面６０ａとを連結している。連結部６２ａの内周壁は、外周部１ｃの内周壁に対応している。連結部６２ｂは、上面６０の要素である平坦面６０ｂの一端から下面６１の要素である平坦面６１ｂの一端まで延在してなり、当該平坦面６０ｂと当該平坦面６１ｂとを連結している。連結部６２ｃは、下面６１の要素である平坦面６１ｂの他端から上面６０の要素である平坦面６０ｃの一端まで延在してなり、当該平坦面６１ｂと当該平坦面６０ｃとを連結している。連結部６２ｄは、上面６０の要素である平坦面６０ｃの他端から下面６１の要素である平坦面６１ｃまで延在してなり、当該平坦面６０ｃと当該平坦面６１ｃとを連結している。連結部６２ｄの外周壁は、外周部１ｃの外周壁に対応している。
【００４５】
以上の構成を有するフレーム１の外周部１ｃは、図７に示すように、アコーディオン状若しくは蛇腹状の断面形状となるように形成されている。そして、本実施例では、外周部１ｃの外周壁の外側ではなく、その外周壁の内側、即ち外周部１ｃの内周壁（連結部６２ａ）と外周部１ｃの外周壁（連結部６２ｄ）の間に、クッション部材４０を貼り付けるための平坦面６１ｂ及び平坦面６０ｃを夫々設けるようにしている。
また、かかるフレーム１の外周部１ｃでは、上記したように、棒状のクッション部材４０が、上面６０の要素である複数の平坦面のうち、平坦面６０ｂ及び平坦面６０ｃに貼り付けられると共に、下面６１の要素である複数の平坦面のうち、平坦面６１ｂ及び平坦面６１ｃに貼り付けられる。棒状のクッション部材４０が略円形形状に変形され、上記の各平坦面に貼り付けられた状態が図１乃至図５に示されている。なお、図１乃至図５では、便宜上、外周部１ｃの各要素の符号は省略する。このため、クッション部材４０と外周部１ｃの各要素との位置関係については、図６乃至図８と合わせて参照されたい。
【００４６】
図７に示すように、フレーム１の外周部１ｃは、クッション部材４０を介して取り付けパネル９０に取り付けられる。なお、フレーム１は前述の取り付け部１ｃａ、１ｃｂにより取付パネル９０に固定される。ここで、本実施例では、外周部１ｃの内周側の壁部である連結部６２ａの下端面６１ａが、外周部１ｃの外周側の壁部である連結部６１ｂ〜６２ｄの下端面６１ｂ及び６１ｃよりも、外周部１ｃの中心軸Ｌ１方向において引っ込んだ位置（図７においては上側）に形成されている。言い換えれば、下端面６１ａは下端面６１ｂ及び６１ｃより、取付パネル９０から離隔した位置に形成されている。これにより、図７及び図８に示すように、外周部１ｃの内周側の連結部６２ａの下端面６１ａと、外周部１ｃの外周側の連結部６２ｂ〜６２ｄの下端部６１ｂ及び６１ｃとの間には段差ｄ１が形成されている。
【００４７】
図７に示すように、フレーム１が取付パネル９０に取り付けられた状態では、外周部１ｃの内周側の壁部である連結部６２ａの下端面６１ａは、段差ｄ１と取付パネル９０へ取り付けられた状態におけるクッション部材４０の厚さとの和に相当する距離ｄ２だけ取付パネル９０から離間している。ここで、フレーム１の外周部１ｃの外周側の連結部６２ｂ〜６２ｄはクッション部材４０を介して取付パネル９０に取り付けられているが、フレーム１の外周部１ｃの内周側の連結部６２ａはクッション部材４０を介さずに取付パネル９０と対向している。よって、内周側の連結部６２の下端部６１ａと取付パネル９０との距離ｄ２が小さいと、スピーカー装置１００の駆動時にフレーム１と取付パネル９０が接触してフレーム１の振動が取付パネル９０に伝わり、フレーム１の振動と取付パネル９０の振動とが共振して共振音を発生してしまうという問題が生じうる。例えば、図９に示す比較例のように、外周部１ｃの内周側の壁部６２ａの下端部６１ａを、外周側の壁部６２ｂ〜６２ｄの下端部６１ｂ及び６１ｃと面一となる（即ち、中心軸Ｌ１方向において同一平面上に位置する）ようにフレーム１を形成すると、内周側の壁部６２ａの下端部６１ａと取付パネル９０との距離ｄ３が小さくなるため、上記の共振音が発生しやすくなる。
【００４８】
これに対し、本実施例では、図７及び図８に示すように、外周部１ｃの内周側の壁部である連結部６２ａの下端部６１ａは、外周部１ｃの外周側の壁部である連結部６２ｂ〜６２ｄの下端部６１ｂ及び６１ｃより引っ込んだ位置に、十分な距離の段差ｄ１を有するように形成されているので、上記のようにフレームと取付パネルの振動により共振音が発生することを防止することができる。
【図面の簡単な説明】
【００４９】
【図１】本発明の実施例に係るスピーカー装置を放音側から見たときの、スピーカー装置の斜視図を示す。
【図２】本実施例に係るスピーカー装置を放音側と逆側から見たときの、スピーカー装置の斜視図を示す。
【図３】本実施例に係るスピーカー装置の正面図を示す。
【図４】本実施例に係るスピーカー装置の背面図を示す。
【図５】本実施例に係るスピーカー装置の片側断面図及び片側側面図を示す。
【図６】本発明の実施例に係るフレームの正面図を示す。
【図７】図６における切断線Ｂ−Ｂ’に沿ったフレームの断面図を示す。
【図８】図２に対応するスピーカー装置の斜視図である。
【図９】比較例に係るスピーカー装置の断面図である。
【符号の説明】
【００５０】
１  フレーム
１ｂ  アーム部
１ｃ  外周部
１ｃｂ  取り付け部
６０ａ、６０ｂ、６０ｃ、６１ａ、６１ｂ、６１ｃ、１ｇ  平坦面
６２ａ、６２ｂ、６２ｃ、６２ｄ  連結部
１ｆ  開口
２  ヨーク
３  マグネット
４  プレート
５  ボイスコイルボビン
６  ボイスコイル
７  ダンパー
８  振動板
９  エッジ
２０  磁気回路系
３０  振動系
４０、４１  クッション部材
５０  スピーカーユニット
６０  上面
６１  下面
１００  スピーカー装置
【図１】
2006229522.tif 000003
【図２】
2006229522.tif 000004
【図３】
2006229522.tif 000005
【図４】
2006229522.tif 000006
【図５】
2006229522.tif 000007
【図６】
2006229522.tif 000008
【図７】
2006229522.tif 000009
【図８】
2006229522.tif 000010
【図９】
2006229522.tif 000011